(57)【特許請求の範囲】
【請求項１】
ウィジェットを調整するウィジェット調整の方法であって、
前記ウィジェットは、グリッド配置を備える端末のインターフェースに、グリッドに従って配列され、
前記方法は、
前記端末のインターフェースのグリッド配置が、第一のグリッド配置から第二のグリッド配置に切り替えられた後、ウィジェットの寸法値を取得し、
前記第二のグリッド配置におけるグリッド毎の寸法値に基づいて、前記ウィジェットにより占用されるグリッド数を確定することを、含むことを特徴とするウィジェット調整の方法。
【請求項２】
前記端末のインターフェースのグリッド配置が、第一のグリッド配置から第二のグリッド配置に切り替えられることは、
インターフェースのグリッド配置を切り替える請求を受信した後、選定された第二のグリッド配置を取得し、
第一のグリッド配置を取消し、前記第二のグリッド配置を端末の現在のインターフェースのグリッド配置とすることを、含むことを特徴とする請求項１に記載のウィジェット調整の方法。
【請求項３】
前記第二のグリッド配置におけるグリッド毎の寸法値に基づいて前記ウィジェットにより占用されるグリッド数を確定することは、
前記ウィジェットの長さの値と前記グリッドの長さの値との長さの比を取得し、
前記長さの比に基づいて、前記ウィジェットにより占用される横方向のグリッド数を取得することと共に、
前記ウィジェットの幅の値と前記グリッドの幅の値との幅の比を取得し、
前記幅の比に基づいて、前記ウィジェットにより占用される縦方向のグリッド数を取得することを、含むことを特徴とする請求項１に記載のウィジェット調整の方法。
【請求項４】
前記ウィジェットが端末のインターフェース上に位置する時、前記ウィジェットにより占用されるグリッド数に基づいて、前記ウィジェットが端末のインターフェース上に位置する位置を調整し、
前記ウィジェットが端末のインターフェース上に位置していない時、前記ウィジェットにより占用されるグリッド数に基づいて、前記ウィジェットが表示されるグリッド属性を調整することを特徴とする請求項１または３に記載のウィジェット調整の方法。
【請求項５】
前記ウィジェットにより占用されるグリッド数に基づいて、前記ウィジェットが端末のインターフェース上に位置する位置を調整することは、
前記ウィジェットにより占用されるグリッド数が整数である時、前記ウィジェットをグリッドに従って置き、
前記ウィジェットにより占用されるグリッド数が整数でない時、前記ウィジェットを真ん中になるように、その外接グリッド中に置くか、または前記ウィジェットの長さの値及び／または幅の値を整数までに増大または減少させた後、前記ウィジェットをグリッドに従って置くことを含むことを特徴とする請求項４に記載のウィジェット調整の方法。
【請求項６】
ウィジェットを調整するウィジェット調整の装置であって、
前記ウィジェットは、グリッド配置を備える端末のインターフェースに、グリッドに従って配列され、
前記装置は、
前記端末のインターフェースのグリッド配置が第一のグリッド配置から第二のグリッド配置に切り替えられた後、ウィジェットの寸法値を取得するための取得モジュールと、
前記第二のグリッド配置におけるグリッド毎の寸法値に基づいて、前記ウィジェットにより占用されるグリッド数を確定する確定モジュールとを備えることを特徴とするウィジェット調整の装置。
【請求項７】
インターフェースのグリッド配置を切り替える請求を受信した後、選定された第二のグリッド配置を取得し、第一のグリッド配置を取消して、前記第二のグリッド配置を端末の現在のインターフェースのグリッド配置とする切り替えモジュールを更に備えることを特徴とする請求項６に記載のウィジェット調整の装置。
【請求項８】
前記確定モジュールは、
前記ウィジェットの長さの値と前記グリッドの長さの値との長さの比を取得し、
前記長さの比に基づいて前記ウィジェットにより占用される横方向のグリッド数を取得することと共に、
前記ウィジェットの幅の値と前記グリッドの幅の値との幅の比を取得し、
前記幅の比に基づいて前記ウィジェットにより占用される縦方向のグリッド数を取得することを、特徴とする請求項６に記載のウィジェット調整の装置。
【請求項９】
前記ウィジェットが端末のインターフェース上に位置する時、前記ウィジェットにより占用されるグリッド数に基づいて、前記ウィジェットが端末のインターフェース上に位置する位置を調整し、
前記ウィジェットが端末のインターフェース上に位置していない時、前記ウィジェットにより占用されるグリッド数に基づいて、前記ウィジェットが表示されるグリッド属性を調整する調整モジュールとを更に備えることを特徴とする請求項６または８に記載のウィジェット調整の装置。
【請求項１０】
前記調整モジュールは、
前記ウィジェットにより占用されるグリッド数が整数である時、前記ウィジェットを、グリッドに従って置き、
前記ウィジェットにより占用されるグリッド数が整数でない時、前記ウィジェットを、真ん中になるようにその外接グリッドの中に置くか、または前記ウィジェットの長さの値及び／または幅の値を整数までに増大または減少させた後、前記ウィジェットをグリッドに従って置くことを特徴とする請求項９に記載のウィジェット調整の装置。
【請求項１１】
請求項６から請求項１０のいずれか一項に記載のウィジェット調整の装置を含むことを特徴とする端末。
【請求項１２】
プロセッサに実行されることにより、請求項１から請求項５のいずれかに記載のウィジェット調整の方法を実現することを特徴とするプログラム。
【請求項１３】
請求項１２に記載のプログラムが記録された記録媒体。
【発明の詳細な説明】
【技術分野】
【０００１】
本発明は、通信技術領域に関するものであり、特にウィジェット（ｗｉｄｇｅｔ）を調整するウィジェット調整の方法、その装置およびその端末、プログラム及び記録媒体に関するものである。 
【背景技術】
【０００２】
現在、携帯電話の普及度がかなり大きく、携帯電話向けのアプリケーション機能も多くなりつつある。携帯電話中の機能を便利かつ快速的に使用させるため、携帯電話のインターフェースに対してウィジェット（widget）を挿入しても良い。例えば、時計ウィジェットを使用して携帯電話のインターフェース上に現在の時間を表示させたり、天気ウィジェットを使用して携帯電話のインターフェース上に現在の天気を表示させたりすることができる。
【０００３】
携帯電話は、全てインターフェース上にはグリッド配置を備え、インターフェース上におけるアイコンやウィジェット等すべては、インターフェースの全体に表示された内容が整然として配列するように、グリッドに従って配列している。
【０００４】
しかしながら、現在ウィジェットが占用しようとするグリッド数は、固定になっているため、グリッド配置の変更すると共にダイナミック的に計算しないことになっている。このため、グリッドを配置した後にはウィジェットの表示効果が悪くなる。
【発明の概要】
【０００５】
本発明の実施例は、端末のインターフェースのグリッドを変更させた時、端末におけるウィジェットにより占用されるグリッド数を自動調整して表示効果を向上できるウィジェット調整の方法、装置及び端末、プログラム及び記録媒体を提供した。
【０００６】
本発明の実施例に提供されたウィジェットを調整するウィジェット調整の方法は、端末のインターフェースのグリッド配置が、第一のグリッド配置から第二のグリッド配置に切り替えられた後、ウィジェットの寸法値を取得し、前記第二のグリッド配置におけるグリッド毎の寸法値に基づいて、前記ウィジェットにより占用されるグリッド数を確定することを含む。
【０００７】
本発明の実施例に提供されたウィジェットを調整するウィジェット調整の装置は、端末のインターフェースのグリッド配置が第一のグリッド配置から第二のグリッド配置に切り替えられた後、ウィジェットの寸法値の取得するための取得モジュールと、前記第二のグリッド配置におけるグリッド毎の寸法値に基づいて、前記ウィジェットにより占用されるグリッド数を確定する確定モジュールとを備える。
【０００８】
本発明の実施例に提供された端末は、本発明の実施例に提供された上記ウィジェット調整の装置を備える。本発明のその他の実施態様は、プロセッサに実行されることにより、前記方法を実現することを特徴とするプログラムを提供する。本発明のその他の実施態様は、前記プログラムが記録された記録媒体を提供する。
【０００９】
本発明の実施例による有益な効果は、以下のことを含む。
【００１０】
本発明の実施例に提供されたウィジェット調整の方法、装置及び端末、プログラム及び記録媒体は、端末のインターフェースのグリッド配置が第一のグリッド配置から第二のグリッド配置に切り替えられた後、ウィジェットの寸法値を取得し、前記第二のグリッド配置におけるグリッド毎の寸法値に基づいて、前記ウィジェットにより占用されるグリッド数を確定する。グリッド配置が変更された後にウィジェットの寸法が不変または現在の単位グリッド寸法に適応できるように、ウィジェットの寸法を自動的に現在グリッド配置のグリッド数に変換することによって、表示効果以及びユーザ感受度を向上できた。
【図面の簡単な説明】
【００１１】
【図１】図1は、本発明の実施例に提供されたウィジェット調整の方法のフローチャートである。
【図２】図２は、本発明のその他の実施例に提供されたウィジェットを調整する過程のフローチャートである。
【図３ａ】図３ａは、本発明の実施例における端末のインターフェースのグリッドの模式図である。
【図３ｂ】図３ｂは、本発明の実施例における端末のインターフェースのグリッドの模式図である。
【図４ａ】図４aは、本発明の実施例においてウィジェットが第一のグリッド配置で表示されたグリッド属性を示す図である。
【図４ｂ】図４ｂは、本発明の実施例においてウィジェットが第二のグリッド配置で表示されてグリッド属性を示す図である。
【図５ａ】図５ａは、本発明の実施例においてウィジェットフレームが４×４のグリッド配置で占用されるグリッド数の模式図である。
【図５ｂ】図５ｂは、本発明の実施例においてウィジェットフレームが２×２のグリッド配置で占用されるグリッド数の模式図である。
【図５ｃ】図５ｃは、本発明の実施例においてウィジェットフレームが３×３のグリッド配置で占用されるグリッド数の模式図である。
【図５ｄ】図５ｄは、本発明の実施例においてウィジェットフレームが３×３のグリッド配置で占用されるグリッド数のその他の模式図である。
【図５ｅ】図５eは、本発明の実施例においてウィジェットフレームが３×３のグリッド配置で占用されるグリッド数のさらに他の模式図である。
【図６】図６は、本発明の実施例においてウィジェット調整の装置の構成を示す模式図である。
【発明を実施するための形態】
【００１２】
以下、本発明の実施例に提供されたウィジェット調整の方法、装置及び端末の具体的な実施の形態について、図面を参照しながら詳細に説明する。
【００１３】
本発明の実施例に提供されたウィジェット調整の方法は、図１に示すように、具体的に、ステップ１０１と、ステップ１０２とを含む。
【００１４】
ステップ１０１において、端末のインターフェースのグリッド配置が第一のグリッド配置から第二のグリッド配置に切り替えられた後、ウィジェットの寸法値を取得する。
ステップ１０１を具体的に実施する際、インターフェースのグリッド配置を切り替える請求を受信した後、選定された第二のグリッド配置を取得し、第一のグリッド配置を取消して、第二のグリッド配置を端末の現在のインターフェースのグリッド配置とする。
【００１５】
ステップ１０２において、第二のグリッド配置におけるグリッド毎の寸法値に基づいて、ウィジェットにより占用されるグリッド数を確定する。
【００１６】
ステップ１０２を具体的に実施する際、ウィジェットの長さの値とグリッドの長さの値との長さの比を取得し、長さの比に基づいて、ウィジェットにより占用される横方向のグリッド数を取得するとともに、ウィジェットの幅の値とグリッドの幅の値との幅の比を取得し、幅の比に基づいて、ウィジェットにより占用される縦方向のグリッド数を取得する。
【００１７】
ウィジェットが端末のインターフェース上に位置する時、ウィジェットにより占用されるグリッド数に基づいて、ウィジェットが端末のインターフェース上に位置する位置を調整し、一方、ウィジェットが端末のインターフェース上に位置していない時、ウィジェットにより占用されるグリッド数に基づいて、ウィジェットが表示されるグリッド属性を調整することがより好ましい。
【００１８】
ウィジェットにより占用されるグリッド数が整数である時、ウィジェットを、グリッドに従って置き、一方、ウィジェットにより占用されるグリッド数が整数でない時、ウィジェットを真ん中になるようにその外接グリッド中に置くか、または、ウィジェットの長さの値及び／または幅の値を整数になるように増大または減少させた後、ウィジェットをグリッドに従って置くことがより好ましい。
【００１９】
上記に記載した内容から分かるように、本発明の実施例に提供されたウィジェット調整の方法は、グリッド配置が変更された後にウィジェットの寸法が不変または現在の単位グリッド寸法に適用するように、ウィジェットの寸法を現在のグリッド配置のグリッド数に自動的に変換することによって、表示効果及びユーザの感受度を向上できた。
【００２０】
以下は、具体的な実施例を用いて本発明が提供したウィジェット調整の方法を詳細に説明する。図２に示すように、ステップ２０１と、ステップ２０２と、ステップ２０３と、ステップ２０４と、ステップ２０５とを備える。
【００２１】
ステップ２０１において、インターフェースのグリッド配置を切り替える請求を受信した後、選定された第二のグリッド配置を取得する。
【００２２】
ユーザは、システムの設置中のグリッド配置によって端末のインターフェースのグリッド分割を変更させ、または端末のフォントの大きさを変更することで、端末のインターフェースのグリッド分割を変更させる。端末のインターフェースには複数の種類のグリッドが予め配置されても良い。図３ａに示すように、端末のインターフェースは、４×４のグリッド配置となり、均等的に４×４個の矩形に分割されている。図３ｂに示すように、端末のインターフェースは、３×３のグリッド配置となり、均等的に３×３個の矩形に分割されている。ここで、実線は、スクリーンの縁であり、破線は、グリッド線である。３×３のグリッド配置では、端末のインターフェースに表示されたフォントが大きく、インターフェース上のアイコンも大きくなっている。
【００２３】
ユーザがインターフェースのグリッド配置を切り替えたい時、例えば、第一のグリッド配置から第二のグリッド配置に切り替える時、予め配置した該当する第二のグリッド配置を取得する。
【００２４】
ステップ２０２において、第一のグリッド配置を取消して、第二のグリッド配置を端末の現在のインターフェースのグリッド配置とする。
【００２５】
ステップ２０３において、ウィジェットの長さの値とグリッドの長さの値との長さの比を取得し、この長さの比に基づいて、ウィジェットにより占用される横方向のグリッド数を取得する。
【００２６】
ステップ２０４において、ウィジェットの幅の値とグリッドの幅の値との幅の比を取得し、この幅の比に基づいて、ウィジェットにより占用される縦方向のグリッド数を取得する。
【００２７】
具体的に言えば、ウィジェットの長さの値をＡとし、幅の値をＢとし、グリッドの長さの値をａとし、幅の値をｂとする際、長さの比がＡ／ａになり、幅の比がＢ／ｂになる。
なお、ステップ２０３とステップ２０４は、実際の実行時に必然とした前後の順番にすることがない。
【００２８】
ステップ２０５において、ウィジェットにより占用されるグリッド数に基づいて、ウィジェットが端末のインターフェース上に位置する位置を調整する。ウィジェットが端末のインターフェース上に位置する時、ウィジェットにより占用されるグリッド数に基づいてウィジェットが端末のインターフェース上に位置する位置を調整し、ウィジェットが端末のインターフェースに位置していない時、ウィジェットにより占用されるグリッド数に基づいてウィジェットが表示されるグリッド属性を調整する。図４ａは、グリッド配置が４×４である時、各ウィジェットが表示されるグリッド属性を示し、図４ｂは、グリッド配置が３×３である時、各ウィジェットが表示されるグリッド属性を示す。これで分かるように、グリッド配置が変更された後、相応的に、各ウィジェットにより占用されるグリッド数も、対応的に変更される。
【００２９】
以下は、具体的な状況を区別し、ウィジェットにより占用されるグリッド数に基づいてウィジェットが端末のインターフェース上に位置する位置を調整することを具体的に説明する。
【００３０】
第１の場合：ウィジェットにより占用されるグリッド数が整数である時、ウィジェットをグリッドに従って置く。
【００３１】
端末のインターフェースのグリッド配置が４×４のグリッド配置から２×２のグリッド配置に変換されることを例とし、４×４のグリッド配置におけるグリッド毎の長さをａとし、幅をｂとする場合、２×２のグリッド配置におけるグリッド毎の長さが２ａになり、幅が２ｂになる。図５ａに示すように、ウィジェットは、フレームの長さが２ａであり、幅が２ｂであり、４×４のグリッド配置で占用されるグリッド数が２×２となる。インターフェースのグリッド配置が、４×４のグリッド配置から２×２のグリッド配置に変換された後、ウィジェットフレームにより横方向に占用されるグリッド数は、２ａ／２ａ＝１となり、縦方向に占用されるグリッド数は、２ｂ／２ｂ＝１となる。これによって、図５ｂに示すように、ウィジェットをグリッドに従って置くようになる。
【００３２】
第２の場合：ウィジェットにより占用されるグリッド数が整数でない時、ウィジェットを、真ん中になるように、の外接グリッド中に置くようにする。
【００３３】
端末のインターフェースのグリッド配置が４×４のグリッド配置から３×３のグリッド配置に変換されることを例とする。４×４のグリッド配置におけるグリッド毎の長さをａとし、幅をｂとする時、３×３のグリッド配置におけるグリッド毎の長さがｃになり、幅がｄになる。ここで、ｃ＝４ａ／３、ｄ＝４ｂ／３。ウィジェットフレームの長さが２ａであり、幅が２ｂである時、図５ａに示すように、４×４のグリッド配置下で占用されるグリッド数が２×２となる。インターフェースのグリッド配置が４×４のグリッド配置から３×３のグリッド配置に変換された後、ウィジェットフレームが横方向に占用されるグリッド数は２ａ／ｃ＝１．５となり、縦方向に占用されるグリッド数は２ｂ／ｄ＝１．５となる。ウィジェットフレームの寸法が単位グリッドの整数倍となっていない。美観の効果を達するために、図５ｃに示すように、ウィジェットを、真ん中になるようにその外接グリッド中に置く。ここで、外接グリッドとは、ウィジェットへの距離が最も近いグリッド線からなるグリッドである。
【００３４】
第３の場合：ウィジェットにより占用されるグリッド数が整数でない時、ウィジェットの長さの値及び／または幅の値を整数までに増大させた後、ウィジェットをグリッドに従って置く。
【００３５】
上記第二の場合を基礎に、即ち、ウィジェットフレームにより横方向に占用されるグリッド数が２ａ／ｃ＝１．５であり、縦方向に占用されるグリッド数が２ｂ／ｄ＝１．５である時、ウィジェットの長さの値を２ａから２ｃまでに増大させ、ウィジェットの幅の値を２ｂから２ｄまでに増大させる。このように、ウィジェットフレームにより占用されるグリッド数が２×２となる。その後、グリッドに従って置かせる。その最終効果が図５ｄに示している。
【００３６】
第４の場合：ウィジェットにより占用されるグリッド数が整数でない時、ウィジェットの長さの値及び／または幅の値を整数までに減少させた後、ウィジェットをグリッドに従って置く。
【００３７】
上記第二の場合を基礎に、即ち、ウィジェットフレームにより横方向に占用されるグリッド数が２ａ／ｃ＝１．５となり、縦方向に占用されるグリッド数が２ｂ／ｄ＝１．５となる時、ウィジェットの長さの値を２ａからｃまでに減少させ、ウィジェットの幅の値を２ｂからｄまでに減少させる。このように、ウィジェットフレームが占用のグリッド数が１×１となる。その後、グリッドに従って置く。最終効果は、図５ｅに示している。
【００３８】
上記に述べた内容から分かるように、本発明の実施例に提供されたウィジェット調整の方法は、グリッド配置が変更された後にウィジェットの寸法が不変または現在の単位グリッド寸法に適用できるように、ウィジェットの寸法を、現在のグリッド配置のグリッド数に自動的に変換することによって、端末の処理効率を向上させることと共にユーザの感受度を向上できた。
【００３９】
同じ発明の構想に基づいて、本発明の実施例から、ウィジェットを調整するウィジェット調整の装置及び端末を更に提供した。該装置及び端末は、問題を解決する原理が前述のウィジェット調整の方法とは相似しているので、該装置和端末の実施は、上記の方法の実施に参照すれば良い。その重複な説明は、省略した。
【００４０】
本発明の実施例に提供されたウィジェット調整の装置は、図６に示すように、端末のインターフェースのグリッド配置が第一のグリッド配置から第二のグリッド配置に切り替えられた後、ウィジェットの寸法値を取得するための取得モジュール６０１と、
第二のグリッド配置におけるグリッド毎の寸法値に基づいてウィジェットにより占用されるグリッド数を確定するための確定モジュール６０２とを、備える。
【００４１】
該装置は、インターフェースのグリッド配置を切り替える請求を受信した後、選定された第二のグリッド配置を取得し、第一のグリッド配置を取消して、第二のグリッド配置を端末の現在のインターフェースのグリッド配置とする切り替えモジュール６０３とをさらに備えることがより好ましい。
【００４２】
確定モジュール６０２は、具体にウィジェットの長さの値とグリッドの長さの値との長さの比を取得し、長さの比に基づいてウィジェットにより占用される横方向のグリッド数を取得するとともに、ウィジェットの幅の値とグリッドの幅の値との幅の比を取得し、幅の比に基づいてウィジェットにより占用される縦方向のグリッド数を取得することがより好ましい。
【００４３】
また、該装置が、ウィジェットが端末のインターフェース上に位置する時、ウィジェットにより占用されるグリッド数に基づいてウィジェットが端末のインターフェース上に位置する位置を調整し、一方、ウィジェットが端末のインターフェース上に位置していない時、ウィジェットにより占用されるグリッド数に基づいてウィジェットが表示されるグリッド属性を調整する調整モジュール６０４とを、さらに備えることがより好ましい。
【００４４】
また、調整モジュール６０４は、ウィジェットにより占用されるグリッド数が整数である時、ウィジェットをグリッドに従って置き、ウィジェットにより占用されるグリッド数が整数でない時、一方、ウィジェットを、真ん中になるように、その外接グリッド中に置くか、または、ウィジェットの長さの値及び／または幅の値を整数までに増大または減少させた後、ウィジェットをグリッドに従って置くことがより好ましい。
【００４５】
また、本発明の実施例は、端末を更に提供した。該端末は、本発明の実施例に提供された上記ウィジェットを調整するウィジェット調整の装置を備える。該端末は、携帯電話やパームコンピューターやｉｐａｄ等のウィジェットを実行できる各種の端末である。
【００４６】
以上の実施の形態の描写によれば、当業者にとっては、本発明の実施例が、ハードウェアによっても実現できるし、ソフトウェアに必要な汎用的なハードウェアプラットホームを加える形によっても実現できるのを明確に理解できる。このような理解のもとで、本発明の実施例の技術案は、ソフトウェア製品の形式で表すことが可能である。該ソフトウェア製品は、非揮発性記憶媒体（ＣＤ−ＲＯＭ、ＵＳＢ、リムーブハードディスク等）に記憶されても良く、いくつかの指令を含み、コンピューターデバイス（パーソナルコンピューター、サーバまたはネットデバイス等）に本発明の各実施例に記載の方法を実行できるものである。
【００４７】
また、図面が好ましい実施例を示す模式図であり、図面中のモジュール或フローが、本発明を実施するのに必ず必須ではないことは、当業者が理解できる。
【００４８】
実施例における装置のモジュールが実施例の記載に従って実施例の装置に分布されても良いし、相応的な変化を行い、本実施例とは異なる一つまたは複数の装置に分布されても良いことは、当業者が理解できる。上記の実施例のモジュールは、一つのモジュールに合併しても良いし、さらに複数のサブモジュールに分解して良い。
【００４９】
上記の本発明の実施例の番号は、ただ説明するためのものであり、実施例の優劣を示すものではない。
【００５０】
本発明の実施例に提供されたウィジェット調整の方法、その装置及びその端末は、グリッド配置が変更された後にウィジェットの寸法が不変または現在の単位グリッド寸法に適用できるように、ウィジェットの寸法を、現在のグリッド配置のグリッド数に自動的に変換することによって、表示効果及びユーザの感受度を向上できた。
【００５１】
当業者は、本発明の精神や範囲を逸脱しないように、本発明に対して各種の変更や変形を行うことができる。このように、本発明の範囲を逸脱しない任意の変更・同等の入替・改良などは、すべて本発明の保護範囲に含まれるべきである。    
【図１】
0006026650.tif 000002
【図２】
0006026650.tif 000003
【図３ａ】
0006026650.tif 000004
【図３ｂ】
0006026650.tif 000005
【図４ａ】
0006026650.tif 000006
【図４ｂ】
0006026650.tif 000007
【図５ａ】
0006026650.tif 000008
【図５ｂ】
0006026650.tif 000009
【図５ｃ】
0006026650.tif 000010
【図５ｄ】
0006026650.tif 000011
【図５ｅ】
0006026650.tif 000012
【図６】
0006026650.tif 000013